(57)【特許請求の範囲】
【請求項１】
鍵孔を有するシリンダー部と、シリンダー部を保持するシリンダーホルダーと、表示プレートと、表示部とを備え、シリンダー部は、鍵孔に鍵を差して時計回り方向及び反時計回り方向のいずれかに回したときに施錠又は解錠し、施錠位置と解錠位置との間に鍵の抜き取り位置が設けてあり、表示プレートは、施錠状態及び解錠状態のうちの少なくとも一方の状態であることを示す状態表示部と、施錠状態及び解錠状態以外であることを示す他の状態表示部とが屋外側面に設けてあり、鍵孔に挿した鍵を施錠操作または解錠操作したときに、シリンダー部の回動に連動して回転するようにシリンダーホルダーに取り付けてあり、表示部は、カバーに設けてあり、表示プレートの屋外側面の一部を屋外側に表示するとともに、鍵の抜き取り位置で表示プレートの他の状態表示部を表示することを特徴とするシリンダー錠。
【請求項２】
鍵孔に鍵を差して時計回り方向及び反時計回り方向のいずれかに回したときに施錠又は解錠し、施錠位置と解錠位置との間に鍵の抜き取り位置が設けてあるシリンダー錠本体に取り付けるカバーと、表示プレートと、表示部とを備え、カバーは、シリンダー錠本体屋外側を覆う状態でシリンダー錠本体に脱着自在であり、シリンダー錠本体の鍵孔と一致する箇所に鍵挿通孔を有し、表示プレートは、カバー内に配置されるとともに、施錠状態及び解錠状態のうちの少なくとも一方の状態であることを示す状態表示部と、施錠状態及び解錠状態以外であることを示す他の状態表示部とが屋外側面に設けてあり、鍵孔に挿した鍵を施錠操作または解錠操作したときに、シリンダー部の回動に連動して回転するようにシリンダー錠本体に取り付けてあり、表示部は、カバーに設けてあり、表示プレートの屋外側面の一部を屋外側に表示するとともに、鍵の抜き取り位置で表示プレートの他の状態表示部を表示することを特徴とするシリンダー錠カバー。
【発明の詳細な説明】
【技術分野】
【０００１】
本発明は、例えば住宅の玄関ドアなどで施解錠を確認できるシリンダー錠及びシリンダー錠カバーに関するものである。
【背景技術】
【０００２】
従来、玄関ドアなどの施解錠の確認手段を有するシリンダー錠として、トイレ用ドアなどのように、屋内側では鍵孔近傍に施解錠状態表示部を設けて目視で確認可能としたものが普及しており、例えば特許文献１のように、鍵を鍵孔に差し込んで施錠操作をしたときに、鍵孔側の施錠状態を示す物理信号を鍵側に受信させて鍵側で確認できるようにしたものが開示されている。
【特許文献１】特開平２−３００４８１号公報
【発明の開示】
【発明が解決しようとする課題】
【０００３】
ところが上記した従来のシリンダー錠では、屋外側に屋内側と同様の確認表示部を設
けるものであるため、他入が容易に施解錠状態を視認できるので防犯上好ましくなく、一方鍵側に物理信号を受信させて施解錠状態を確認するものでは、鍵孔だけでなく鍵の構造も複雑になってしまうといった問題があった。
【０００４】
本発明は、構造が簡単であり且つ常時は部外者から施解錠の識別ができない防犯効果の高いシリンダー錠及びシリンダー錠カバーを提供することを目的とする。
【課題を解決するための手段】
【０００５】
請求項１に記載の発明によるシリンダー錠は、鍵孔を有するシリンダー部と、シリンダー部を保持するシリンダーホルダーと、表示プレートと、表示部とを備え、シリンダー部は、鍵孔に鍵を差して時計回り方向及び反時計回り方向のいずれかに回したときに施錠又は解錠し、施錠位置と解錠位置との間に鍵の抜き取り位置が設けてあり、表示プレートは、施錠状態及び解錠状態のうちの少なくとも一方の状態であることを示す状態表示部と、施錠状態及び解錠状態以外であることを示す他の状態表示部とが屋外側面に設けてあり、鍵孔に挿した鍵を施錠操作または解錠操作したときに、シリンダー部の回動に連動して回転するようにシリンダーホルダーに取り付けてあり、表示部は、カバーに設けてあり、表示プレートの屋外側面の一部を屋外側に表示するとともに、鍵の抜き取り位置で表示プレートの他の状態表示部を表示することを特徴とする。
【０００６】
請求項２に記載の発明によるシリンダー錠カバーは、鍵孔に鍵を差して時計回り方向及び反時計回り方向のいずれかに回したときに施錠又は解錠し、施錠位置と解錠位置との間に鍵の抜き取り位置が設けてあるシリンダー錠本体に取り付けるカバーと、表示プレートと、表示部とを備え、カバーは、シリンダー錠本体屋外側を覆う状態でシリンダー錠本体に脱着自在であり、シリンダー錠本体の鍵孔と一致する箇所に鍵挿通孔を有し、表示プレートは、カバー内に配置されるとともに、施錠状態及び解錠状態のうちの少なくとも一方の状態であることを示す状態表示部と、施錠状態及び解錠状態以外であることを示す他の状態表示部とが屋外側面に設けてあり、鍵孔に挿した鍵を施錠操作または解錠操作したときに、シリンダー部の回動に連動して回転するようにシリンダー錠本体に取り付けてあり、表示部は、カバーに設けてあり、表示プレートの屋外側面の一部を屋外側に表示するとともに、鍵の抜き取り位置で表示プレートの他の状態表示部を表示することを特徴とする。
【発明の効果】
【０００７】
本発明の請求項１に係わるシリンダー錠において、鍵を操作したときに施錠したのか、解錠したのかを目視で確認できるので、一々扉の開閉操作をし直して施錠状態を確認する必要がなく、且つ鍵を抜いたときは表示プレートにおける施解錠状態以外の他の状態表示部を表示部で表示することから、シリンダー錠の施解錠状態を外部から知られることがなく、防犯上も好ましい効果が得られる。鍵側に表示機構等を付加する必要が無いので、従来のこの種の施解錠の確認手段を有したシリンダー錠と比較して構造が簡単となる。
【０００８】
本発明の請求項２に係わるシリンダー錠カバーにおいて、施解錠の識別機能を有するカバーを識別機能を持たないシリンダー錠に取り付けて、簡単に識別機能をもたせることができる。
【発明を実施するための最良の形態】
【０００９】
以下、本発明の第一実施形態を図面に基づいて説明する。
【００１０】
図１について、（Ａ１)は第一実施形態のシリンダー錠１の屋外側部分の正面図であり、（Ａ２)は屋外側部分の側面図であり、（Ｂ１)は屋外側カバー５を取り外した屋外側部分の正面図であり、（Ｂ２)は屋外側カバー５を取り外した屋外側部分の側面図である。図２については、図１に示したシリンダー錠１の表示部３の表示に関する説明図であり、（Ａ）は鍵孔２が鍵の抜き取り位置にある時の表示であり、（Ｂ)は施錠操作完了時の表示であり、（Ｃ)は解錠操作完了時の表示である。
【００１１】
本発明のシリンダー錠１の屋外側部分は図１に示す通り、鍵孔２を有するシリンダー部４、シリンダー部４を支持するシリンダーホルダー６及びシリンダーホルダー６の屋外側部分に固定した屋外側カバー５を備えており、屋外側カバー５には鍵孔２の近傍で屋内外方向を貫通する小孔を表示部(表示孔)３として設けてある。また、シリンダーホルダー６の屋外側で、屋外側カバー５に覆われた空間内にはシリンダー部４の回動に連動して回転する表示プレート７を取り付けてあり、屋外側カバー５に設けた表示部３を通して表示プレート７の屋外側面の部分を視認可能となっている。
【００１２】
表示プレート７の屋外側面には図１(Ｂ１)に示すように、白色部７ａ、赤色部７ｂ、青色部７ｃを設けてある。図２（Ａ）に示すように鍵孔２が錠の抜き取り位置にあって錠を抜き差しできる状態になっているときは、表示部３に表示プレート７の白色部７ａが見えており、施錠されているか解錠されているかはわからない。図２（Ｂ）に示すように鍵孔２を時計回り方向に回動して施錠操作を行ったときは、鍵孔２にシリンダー部４が連動して回動し、同時に表示プレート７も時計回り方向に回動するので、表示部３に表示プレート７の赤色部７ｂが見えて施錠操作を行ったことを確認することができる。図２（Ｃ）に示すように、鍵孔２を反時計回り方向に回動して解錠操作を行ったときは、鍵孔２にシリンダー部４が連動して回動し、同時に表示プレート７も反時計回り方向に回動するので、表示部３に表示プレート７の青色部７ｃが見えて解錠操作を行ったことを確認することができる。以上の施錠確認あるいは解錠確認後、鍵を抜き取り位置に戻せば、表示部３の表示は白色となり、部外者が見ても施錠してあるのか解錠してあるのかは識別できない状態となっている。
【００１３】
図３について、（Ａ１)は第二実施形態のシリンダー錠の屋外側部分の正面図であり、（Ａ２)は屋外側部分の側面図であり、（Ｂ１)は屋外側カバーを取り外した屋外側部分の正面図であり、（Ｂ２)は屋外側カバーを取り外した屋外側部分の側面図である。図４については、図３に示したシリンダー錠の表示部の表示に関する説明図であり、（Ａ）は鍵孔が鍵の抜き取り位置にあるときの表示であり、（Ｂ)は施錠操作完了時の表示であり、（Ｃ)は解錠操作完了時の表示である。
【００１４】
本シリンダー錠は、図３（Ａ１）及び図３（Ａ２）のように、屋外側カバー１２やシリンダーホルダー１３などが第一実施形態のものと構成を略同一とすることから、ここでは相違する箇所のみを説明する。本実施によるシリンダー錠８は図３（Ｂ１）に示すように、表示プレート１４の屋外面側に白色部１４ａと赤色部１４ｂとを設けてある。鍵孔９が錠の抜き取り位置にあり且つ錠を抜き差しできるときは、図４（Ａ）に示すように、表示部１０に表示プレート１４の白色部１４ａが見えており、このため現在鍵が施錠してあるのか解錠してあるのかがわからない。鍵孔９を時計回り方向に回動して施錠操作を行ったときは、図４(Ｂ)に示すように、鍵孔９にシリンダー部１１が連動して回動し、同時にシリンダー部１１の外周全周に亘って取り付けられた表示プレート１４も時計回り方向に回動するので、表示部１０に表示プレート１４の赤色部１４ｂが見えるようになり、施錠操作を行ったことを確認することができる。一方で図４（Ｃ）に示すように、鍵孔９を反時計回り方向に回動して解錠操作を行ったときは、鍵孔９にシリンダー部１１が連動して回動し、同時に表示プレート１４も反時計回り方向に回動するが、このときは表示部３に表示プレート７の白色部１４ａを表示し続ける。施錠確認あるいは解錠確認後、鍵を抜き取り位置に戻せば、第１実施形態のものと同様に表示部１０の表示は白色部１４ａを示し、部外者が見ても施錠してあるのか解錠してあるのかは一切識別のできない状態となっている。
尚、本実施形態では施錠操作を行った場合のみに赤色部１４ｂを表示するものであるが、例えば、解錠操作をしたときにのみ表示部１０に青色部を表示するようなものであってもよい。
【００１５】
図５は、本発明の第三実施形態のシリンダー錠１５であり、（Ａ１)はカバー１６を取り外したシリンダー錠１５の屋外側部分の正面図であり、（Ａ２)は（Ａ１）の側面図であり、（Ｂ１)は本シリンダー錠１５から取り外したカバー１６の正面図であり、（Ｂ２)はカバー１６の側面図であり、（Ｂ３）はカバー１６の縦断面図であり、（Ｃ１）は本シリンダー錠１５の正面図であり、（Ｃ２）は（Ｃ１）の側面図である。
【００１６】
第３実施形態のシリンダー錠１５は、図５（Ｃ１）及び図５（Ｃ２）のように、本発明の第１実施形態及び第２実施形態と相違する構成として、シリンダーホルダー２１の屋外側カバー２０に取り付けるカバー１６を備えている。カバー１６は図５（Ｂ１）及び図５（Ｂ２）のように全体が略半球状のドーム型をなし、屋外側の上部には表示部１８、中央には貫通孔２５をそれぞれ有している。一方屋内側には図５（Ｂ３）のように、シリンダー錠本体１５ａの屋外側カバー２０と弾性的に嵌合する凹部２４を設け、カバー１６の屋外側カバー２０からの脱着が自在となっており、例えばシリンダー錠本体１５ａからカバー１６のみを取り出すこともできるので、メンテナンスなどが容易に行える。貫通孔２５には表示プレート２３の鍵挿通孔２２が位置する。貫通孔２５と凹部２４の間には表示プレート２３の格納空間部２６を設けており、格納空間部２６に納めた表示プレート２３は図５（Ｃ１）のように、鍵挿通孔２２を鍵孔１７と一致する位置を中心として、水平方向の軸を中心に回転自在となっている。カバー１６を屋外側カバー２０に取り付けたとき、表示プレート２３の鍵挿通孔２２は図５（Ｃ１）及び図５（Ｃ２）のように、シリンダー部１９の鍵孔１７と一致し、これにより鍵挿通孔２２に鍵を差し込んで施錠方向及び解錠方向に操作することで、表示プレート２３がシリンダー部１９に連動して回転し、表示部１８に施解したこと又は解錠したことのいずれかを表示する。
尚、本実施形態の表示プレート２３については、第１実施形態及び第２実施形態で開示した表示プレート１４，２３はもちろん、その他施解錠を識別できる表示手段を適用してもよい。カバー１６の凹部２４は、屋外側カバー２０やシリンダーホルダー２１などにしっかりと取り付けられるものであれば特に形態を限定するものではない。カバー１６は、カバー単体で提供することもできる。
【図面の簡単な説明】
【００１８】
【図１（Ａ１）（Ａ２）（Ｂ１）（Ｂ２）】本発明による第一実施形態のシリンダー錠の(Ａ１)は屋外側部分の正面図であり、(Ａ２)は屋外側部分の側面図であり、(Ｂ１)は屋外側カバーを取り外した屋外側部分の正面図であり、(Ｂ２)は屋外側カバーを取り外した屋外側部分の側面図である。
【図２（Ａ）（Ｂ）（Ｃ）】図1に示したシリンダー錠の表示部の表示に関する説明図であり、(Ａ)は鍵が抜き取り位置にある時の表示、（Ｂ）は施錠操作完了時の表示、(Ｃ)は解錠操作完了時の表示を各々表わしている。
【図３（Ａ１）（Ａ２）（Ｂ１）（Ｂ２）】本発明による第二実施形態のシリンダー錠の(Ａ１)は屋外側部分の正面図であり、(Ａ２)は屋外側部分の側面図であり、(Ｂ１)は、屋外側カバーを取り外した屋外側部分の正面図であり、(Ｂ２)は屋外側カバーを取り外した屋外側部分の側面図である。
【図４（Ａ）（Ｂ）（Ｃ）】図３に示したシリンダー錠の表示部の表示に関する説明図の(Ａ)は鍵が抜き取り位置にある時の表示であり、（Ｂ）は施錠操作完了時の表示であり、(Ｃ)は解錠操作完了時の表示である。
【図５（Ａ１）（Ａ２）（Ｂ１）（Ｂ２）（Ｃ１）（Ｃ２）】本発明の第三実施形態のシリンダー錠の(Ａ１)はカバーを外した状態の正面図であり、(Ａ２)は側面図であり、(Ｂ１)はカバーの正面図であり、(Ｂ２)は（Ｂ１）の側面図であり、（Ｂ３）は（Ｂ１）の縦断面図であり、（Ｃ１）は正面図であり、（Ｃ２）は側面図である。
【符号の説明】
【００１９】
１，８，１５  シリンダー錠
２，９，１７  鍵孔
３，１０，１８  表示部
５  屋外側カバー
７  表示プレート
１６  カバー
２２  鍵挿通孔
【図１（Ａ１）（Ａ２）（Ｂ１）（Ｂ２）】
0004631693.tif 000002
【図２（Ａ）（Ｂ）（Ｃ）】
0004631693.tif 000003
【図３（Ａ１）（Ａ２）（Ｂ１）（Ｂ２）】
0004631693.tif 000004
【図４（Ａ）（Ｂ）（Ｃ）】
0004631693.tif 000005
【図５（Ａ１）（Ａ２）（Ｂ１）（Ｂ２）（Ｃ１）（Ｃ２）】
0004631693.tif 000006